(57)【要約】【課題】ビデオサーバシステムにおいて、障害等によりファイルシステム管理サーバが機能停止した場合でも、送出再生を継続できるビデオサーバシステム及びビデオサーバを提供する。【解決手段】素材データを記録する共有ストレージと、映像音声データの入出力を行う複数のビデオサーバと、前記ビデオサーバを制御するビデオサーバ制御装置と、ファイルシステムを管理するファイルシステム管理情報を有するファイルシステム管理サーバと、を備え、前記ビデオサーバは、前記ファイルシステム管理情報のコピーを有することを特徴とする。【選択図】図１
2010233190.tif 000002
【特許請求の範囲】
【請求項１】
素材データを記録する共有ストレージと、
映像音声信号の入出力を行う複数のビデオサーバと、
前記ビデオサーバを制御するビデオサーバ制御装置と、
ファイルシステムを管理するファイルシステム管理情報を有するファイルシステム管理サーバと、を備え、
前記ビデオサーバは、前記ファイルシステム管理情報のコピーを有することを特徴とするビデオサーバシステム。
【請求項２】
前記ビデオサーバは、
前記ビデオサーバ制御装置の指示に従い、入力された映像音声信号を素材データに変換する手段と、
前記ファイルシステム管理サーバに、新規素材データのファイルに対応する管理情報の生成を要求し、前記ファイルシステム管理サーバから受け取った管理情報に基づき、前記共有ストレージにアクセスし、前記素材データを記憶させることで収録動作を行う手段と、を備え、
前記ファイルシステム管理サーバは、
前記ビデオサーバからの要求に応じて、新規素材データのファイルに対応する管理情報を生成し、送信する手段と、
新たに生成した前記管理情報により、自身のファイル管理情報を更新し、更新情報を各ビデオサーバに送信する手段と、を備え、
さらに、前記更新情報を受け取ったビデオサーバは、前記更新情報に基づき、自身が有している前記ファイルシステム管理情報のコピーを更新することを特徴とする請求項１記載のビデオサーバシステム。
【請求項３】
前記ビデオサーバは、
前記ビデオサーバ制御装置から、素材データの再生制御指示を受けると、前記ビデオサーバ自身が有する前記ファイルシステム管理情報のコピーを参照し、前記共有ストレージにアクセスし、前記指示された素材データを読み込む手段と、
前記読み込んだ素材データを映像音声信号に変換し出力する手段と、を備えることを特徴とする請求項１又は２記載のビデオサーバシステム。
【請求項４】
素材データを記録する共有ストレージと、映像音声データの入出力を行う複数のビデオサーバと、前記ビデオサーバを制御するビデオサーバ制御装置と、ファイルシステムを管理するファイルシステム管理情報を有するファイルシステム管理サーバと、を備えたビデオサーバシステムの前記ビデオサーバであって、
前記ファイルシステム管理情報のコピーを有することを特徴とするビデオサーバ。
【請求項５】
前記ビデオサーバ制御装置の指示に従い、入力された映像音声信号を素材データに変換する手段と、
前記ファイルシステム管理サーバに、新規素材データのファイルに対応する管理情報の生成を要求し、前記ファイルシステム管理サーバから受け取った管理情報に基づき、前記共有ストレージにアクセスし、前記素材データを記憶させることで収録動作を行う手段と、を備えることを特徴とする請求項４記載のビデオサーバ。
【請求項６】
前記ビデオサーバからの要求に応じて新規素材データのファイルに対応する管理情報を生成し、自身のファイル管理情報を更新したファイルシステム管理サーバから更新情報を受け取った場合は、前記更新情報に基づき、前記ビデオサーバ自身が有している前記ファイルシステム管理情報のコピーを更新することを特徴とする請求項４又は５記載のビデオサーバ。
【請求項７】
前記ビデオサーバ制御装置から、素材データの再生制御指示を受けると、前記ビデオサーバ自身が有する前記ファイルシステム管理情報のコピーを参照し、前記共有ストレージにアクセスし、前記指示された素材データを読み込む手段と、
前記読み込んだ素材データを映像音声信号に変換し出力する手段と、を備えることを特徴とする請求項４から６のいずれか１項記載のビデオサーバ。
【発明の詳細な説明】
【技術分野】
【０００１】
本発明は、ビデオサーバシステム及びビデオサーバに関し、特にファイルシステム管理サーバが機能停止した場合でも送出再生を継続できるビデオサーバシステム及びビデオサーバに関する。
【背景技術】
【０００２】
従来、ファイルシステムは管理情報領域が破壊されると、データ領域に存在するファイルのアクセスができなくなるため、データ領域上のデータファイルだけをバックアップしていても、ファイルシステムを再構成し直してから、バックアップされたファイルを戻す必要があった。例えば、ファイルシステムの管理情報だけを別のディスク装置に二重化し、ファイルシステム故障時にファイルシステムの管理情報だけでも復旧して処理を継続できるようにする技術が提案されている（特許文献１参照）。
【０００３】
また、ビデオデータをファイルとして扱い、管理するビデオサーバ装置が知られている（特許文献２参照）。
【０００４】
ここで、従来のビデオサーバシステムの構成例を図４に示す。図４に示すファイル管理システムは、共有ストレージ１、３台のビデオサーバ（以下VS）３０、および１台のファイルシステム管理サーバ（以下FSM）４から構成される。各VS３０は、ビデオサーバ制御装置６から、ある素材の再生のコマンドを受けると、その素材のファイルリードオープン処理をFSM４へ要求する。FSM４では自身が持っているファイルシステム管理情報を基に、ファイルリードオープン処理を行い、その素材の再生に必要な情報（共有ストレージにおける記録位置、等）をVS３０へ返答する。VS３０はその情報を基に、共有ストレージ１へアクセスし、素材データを読み出して、再生出力を行う。
【先行技術文献】
【特許文献】
【０００５】
【特許文献１】特開２００１−３４６１３３号公報
【特許文献２】特開２００４−０７８４３７号公報
【発明の概要】
【発明が解決しようとする課題】
【０００６】
しかしながら、上記のような技術には、以下の問題点がある。
【０００７】
上記のような構成においては、FSM４が障害等により機能を停止すると、各VS３０はファイルシステム管理情報を得ることができず、再生等の動作を一切行えなくなる。放送局におけるビデオサーバシステムでは、オンエア送出のための再生動作は極めて重要であり、FSM１台の障害により全ての再生動作が機能しなくなることは大きな問題となる。
【０００８】
FSM４が機能停止すると、ビデオサーバシステム装置全体が動作不能となるため、FSM４の障害への対策が求められている。例えば、FSM４を２台（または、それ以上）を備え、１台のFSMが機能停止したとしても他のFSMにて処理を継続するという、いわゆる冗長化という手段が考えられるが、その場合には、冗長化する分のFSMのハードウェアのコストが掛かることになる。また、他のFSMへの切り替えが瞬時に行えるとは必ずしも言えない。
【０００９】
コスト、及びハードウェアの設置スペースの問題により、極力ハードウェアを必要としない構成が望まれている。
【００１０】
本発明はこのような状況に鑑みてなされたものであり、ビデオサーバシステムにおいて、障害等によりファイルシステム管理サーバが機能停止した場合でも、送出再生を継続できることを目的とする。
【課題を解決するための手段】
【００１１】
本発明に係るビデオサーバシステムは、素材データを記録する共有ストレージと、映像音声信号の入出力を行う複数のビデオサーバと、前記ビデオサーバを制御するビデオサーバ制御装置と、ファイルシステムを管理するファイルシステム管理情報を有するファイルシステム管理サーバと、を備え、前記ビデオサーバは、前記ファイルシステム管理情報のコピーを有することを特徴とする。
【００１２】
本発明に係るビデオサーバは、素材データを記録する共有ストレージと、映像音声データの入出力を行う複数のビデオサーバと、前記ビデオサーバを制御するビデオサーバ制御装置と、ファイルシステムを管理するファイルシステム管理情報を有するファイルシステム管理サーバと、を備えたビデオサーバシステムの前記ビデオサーバであって、前記ファイルシステム管理情報のコピーを有することを特徴とする。
【発明の効果】
【００１３】
本発明によれば、ビデオサーバシステムにおいて、障害等によりファイルシステム管理サーバが機能停止した場合でも、送出再生を継続できる。
【図面の簡単な説明】
【００１４】
【図１】本発明の実施形態に係るビデオサーバシステムの構成を示す図である。
【図２】本発明の実施形態に係るビデオサーバシステムの収録時の動作を説明するためのタイムチャートである。
【図３】本発明の実施形態に係るビデオサーバシステムの再生動作を説明するためのタイムチャートである。
【図４】従来のビデオサーバシステムの構成例を示す図である。
【発明を実施するための形態】
【００１５】
以下に、本発明の実施形態について図面を用いて詳細に説明する。なお、以下に述べる実施形態は、本発明の好適な実施形態であるから、技術的に好ましい種々の限定が付されているが、本発明の範囲は、以下の説明において特に本発明を限定する旨の記載がない限り、これらの態様に限られるものではない。
【００１６】
本発明の実施形態に係るビデオサーバシステムは、ファイルシステムの管理情報のコピーを各ビデオサーバが持つことにより、障害等によりファイルシステム管理サーバが機能を停止した場合でも、オンエア再生動作を行うことができることを特徴とする。
【００１７】
（構成）
図１は、本発明の実施形態に係るビデオサーバシステムの構成を示す図である。ビデオサーバ（VS）３はファイバチャネル等のI/F２を介して、共有ストレージ１に対して素材データのリードとライトを行う。
【００１８】
共有ストレージ上にはファイルシステムを構築し、素材データはファイルの形で格納される。ファイルシステムの管理はファイルシステム管理サーバ（FSM）４にて行い、ファイルシステム管理情報のマスター（符号７）はFSM４内に持つ。VSとFSM間の処理通信はLAN５を介して行う。外部との映像/音声の入出力は各VSにて行う。
【００１９】
（動作処理）
まず、収録動作について図２を用いて説明する。図２は、本実施形態に係るビデオサーバシステムの収録時動作処理を示すタイムチャートである。収録する映像と音声信号はVS_3に入力される。ビデオサーバ制御装置６からの制御に従い、VS_3は映像/音声を取り込むと、エンコード等の処理により素材データに変換する。
【００２０】
一方、VS_3は新規に素材データのファイルを共有ストレージ１に作成するため、FSM４にファイルライトオープン処理を要求する。FSM４では、その要求を受け、新たなファイルに関する管理情報を生成し、その結果をVS_3へ返答する。さらに、その管理情報により自身のファイル管理情報を更新すると共に、その更新情報を各VS３へ伝える。
【００２１】
各VS３では、FSM４から送られてきた更新情報により各自が持っているファイル管理情報のコピーを更新する。これにより、FSM４が持っているファイル管理情報（マスター）７と各VS３が持っているファイル管理情報（コピー）８は一致する。
【００２２】
VS_3は、FSM４から返答のあった情報（ファイルシステム管理情報）に基づき、共有ストレージをアクセスし、素材データのライトを行う。このようにして、収録の動作が行われる。
【００２３】
次にVS_1にて再生動作を行う場合について図３を用いて説明する。図３は、再生動作時の動作処理を示すフローチャートである。ビデオサーバ制御装置６からある素材の再生制御をVS_1が受けると、VS_1はファイルの管理情報を自身が持っているファイル管理情報のコピーを参照する。この情報に基き、共有ストレージ１にアクセスし、素材データをリードする。リードした素材データをデコード等の処理により映像/音声信号に変換し出力する。再生時は、基本的にFSM４の動作は介入しない。
【００２４】
上記の説明の通り、本実施形態に係るビデオサーバシステムは、収録動作にはFSM４による処理が必要であるが、再生動作にはFSM４の処理を必要としない。このため、障害等によりFSM４が機能停止した場合でも、再生動作は可能となる。
【００２５】
例えば、放送局におけるオンエア送出再生はリアルタイムに行われるべき極めて重要な運用であり、万一、再生が行われない事態が発生すると、いわゆるオンエア事故となり、放送局の運用に多大な損失を与えることになる。一方、収録動作に関しては、その収録されるべき素材はオンエアされるまでの間に収録できていればよく、万一、障害により収録動作が不可になったとしても、障害を復旧するまでの時間に余裕がある場合が多い。このように、ビデオサーバシステムにおいてFSM４は重要な処理を担っており、FSM４が機能停止するとシステム全体として動作が不能になってしまう。しかしながら、上記実施形態によれば、このような状況においても、オンエア送出再生という重要、且つ、最低限の動作を継続することが可能となる。
【００２６】
また、本実施形態に係るビデオサーバシステムは、FSM４に障害が発生し、FSM４内のファイル管理情報のマスターが消失した場合でも、その復旧が容易であるという効果がある。ファイル管理情報のコピーを各VS３が保持しているので、FSM４を復旧後、何れかのVS３からファイル管理情報をFSM４へコピーすれば、ファイル管理情報のマスターを復旧することが可能となる。
【００２７】
本実施形態に係るビデオサーバシステムは、上述した放送局での利用の他に、映像制作を行うプロダクション等で利用しても良い。再生に対するリアルタイム性の要求（FSM４の重要性）は、放送局と比較して高く無い場合でも、FSM４の障害時において部分的にでも運用が継続できる利点は大きい。
【００２８】
なお、上述した各実施形態は、本発明の好適な実施形態であり、上記各実施形態のみに本発明の範囲を限定するものではなく、本発明の要旨を逸脱しない範囲において当業者が上記各実施形態の修正や代用を行い、種々の変更を施した形態を構築することが可能である。
【００２９】
例えば、上述した実施形態における制御動作は、ハードウェア、または、ソフトウェア、あるいは、両者の複合構成によって実行することも可能である。
【００３０】
なお、ソフトウェアによる処理を実行する場合には、処理シーケンスを記録したプログラムが格納されているＲＯＭから、専用のハードウェアに組み込まれているコンピュータ内のメモリ（ＲＡＭ）にプログラムを読み込んで実行させるか、あるいは、各種処理が実行可能な汎用コンピュータにプログラムをインストールして実行させることが可能である。
【００３１】
例えば、プログラムは、記録媒体としてのハードディスクやＲＯＭ（Read Only Memory）に予め記録しておくことが可能である。あるいは、プログラムは、フロッピー（登録商標）ディスク等の磁気ディスク、ＣＤ（Compact Disc）、ＤＶＤ（Digital Versatile Disc）等の光ディスク、ＭＯ（Magneto optical）ディスク等の光磁気ディスクなどのリムーバブル記録媒体に、一時的、あるいは、永続的に格納（記録）しておくことが可能である。
【００３２】
このようなリムーバブル記録媒体は、いわゆるパッケージソフトウエアとして提供することが可能である。
【００３３】
なお、プログラムは、上述したようなリムーバブル記録媒体からコンピュータにインストールする他、ダウンロードサイトから、コンピュータに無線転送したり、ＬＡＮ（Local Area Network）、インターネットといったネットワークを介して、コンピュータに有線で転送したりし、コンピュータでは、転送されてきたプログラムを受信し、内蔵するハードディスク等の記録媒体にインストールすることが可能である。
【００３４】
また、上記実施形態で説明した処理動作に従って時系列的に実行されるのみならず、処理を実行する装置の処理能力、あるいは、必要に応じて並列的にあるいは個別に実行するように構築することも可能である。
【００３５】
また、上記実施形態で説明したシステムは、複数の装置の論理的集合構成にしたり、各装置の機能を混在させたりするように構築することも可能である。
【符号の説明】
【００３６】
１    共有ストレージ
２    Ｉ／Ｆ
３    ビデオサーバ（VS）
４    ファイルシステム管理サーバ（FSM）
５    ＬＡＮ
６    ビデオサーバ制御装置
７    ファイルシステム管理情報
８    ファイルシステム管理情報（コピー）
【図１】
2010233190.tif 000003
【図２】
2010233190.tif 000004
【図３】
2010233190.tif 000005
【図４】
2010233190.tif 000006